(57)【要約】      （修正有）【課題】ゴルフアイアンクラブに傷を付けることなく保護し、キャディーバックから取り出しやするゴルフアイアンクラブ整理用具を提供する。【解決手段】フレーム２の上部に各アイアンクラブの角度に沿った隔壁３を設け、フレーム２の両端から支柱４が具備され、その先端部にキャディーバックの縁に差し込む為の切り込６みが用意されている。フレーム２の中央部にサポート具７を取り付ける腕板８を設け、締結用の穴９を開けてある。サポート具７はフレーム２の腕板８の溝に差し込みサポート具７の複数の調節穴１０のいずれかと、締結用の穴９とを合わせ、締結ネジ１１を穴に差し込み、ナットが埋め込まれたツマミ１２で固定する。キャディーバックにゴルフアイアンクラブ整理用具１の取り付けが出来たらアイアンクラブのヘッドをそれぞれの角度にあった溝に入れることが出来る。移動の際にはキャディーバックのカバーを被せることが出来る。【選択図】図２
2007111460.tif 000002
【特許請求の範囲】
【請求項１】
左右にある支柱を結ぶフレームにゴルフクラブのアイアンの角度に相当するそれぞれの角度で壁面を用意し、支柱はゴルフバックの縁に差し込みが出来る形状を有し、フレームの中心付近にフレーム下部から腕片が具備され、保持具を差し込み、保持具を固定する為の取り付けネジで固定し、取り付けネジの中心を基準に位置が変えられ、又、保持具に複数の穴の中から穴を選択することで既存のゴルフバックの大きさに対応出来、左右の支柱をゴルフバックに差し込み、保持具の一端をゴルフバックの縁に差し込み取り付けネジで固定し、アイアンを並べて整理できるようにしたゴルフアイアンクラブ整理用具。
【発明の詳細な説明】
【技術分野】
【０００１】  本発明は、キャディーバックの上部にそれぞれアイアンクラブの角度の付いた仕切りが有る溝にゴルフアイアンクラブを番手順に並べ、且つ、取り出し易くするゴルフアイアンクラブ整理用具に関する。
【背景技術】
【０００２】  アイアンクラブに傷が付かないように隣との境に壁面を用いたフレームをキャディーバックに取り付け、アイアンクラブを並べられるようにする。
【発明の開示】
【発明が解決しようとする課題】
【０００３】  キャディーバックに大まかな仕切りが用意してある中に、ゴルフクラブを入れる。ゴルフクラブはウッド、アイアンのクラブに大別され、ウッドクラブは本数が少なく大きさ、長さで感覚的に番手が分かる。それに変えてアイアンクラブは本数も多く、大きさも長さも極端な差が無い。【０００４】  移動中にクラブ同士がぶつかり、傷が付いてしまう為、クラブヘッドにカバーを被せて傷が付かないようにしている。クラブヘッドにカバーを被せるとクラブの番手が分からなくなる為にカバーに番号がいれてある。しかし、アイアンクラブ全てに入れてあるのは稀で、番号の無い状態のカバーを使うのが普通で、番手の判別がしにくい状態がゴルフプレイ時の煩わしさで、カバーを付けないで傷を付くことをあきらめている。【０００５】  そこで本発明はキャディーバックにフレームを取り付け、アイアンクラブを隔壁の間にならべて置き、移動中に傷つかない、ゴルフプレイ中に取り出しやすく、傷つかないように利便性の向上を図ることが出来るようにした。
【課題を解決するための手段】
【０００６】  本発明は、キャディーバックの縁にフレームの左右から設けた支柱を差し込み、フレームにはアイアンクラブの複数の番手にそれぞれある角度に沿った隔壁が具備され、フレームの中央下部にサポート具を取り付ける溝を設け、サポート具を差し込み、締結用のネジ穴があり、穴に締結用のネジを挿入して、ナットが埋め込まれたツマミで締め付け締結する。【０００７】  キャディーバックの大きさの違いを吸収するために、サポート具の面に間隔を有しネジ穴を複数個設け、締結のネジを穴に差し替えることでキャディーバックの大きさに変えることが出来る。サポート具の締結側と反対側の一端にキャディーバックの縁に差し込む溝を設けて、フレームが倒れないようにサポート具をキャディーバックの縁に差し込む。【０００８】  アイアンクラブの角度に合う隔壁に仕切られたフレームの溝にアイアンクラブをそれぞれ入れることで、整理でき、ゴルフプレイ中、移動中にもクラブ同士のぶつかり合いもなく、傷が付かなくなり、移動の際はその上から、キャディーバックのカバーを被せることもできるようにしたゴルフアイアンクラブ整理用具。
【発明の効果】
【０００９】  本発明のゴルフアイアンクラブ整理用具はキャディーバックの縁を利用してフレームをサポート具で保持している為、移動、ゴルフプレイ中に於いても各々のアイアンクラブが隔壁で仕切られていることで、クラブ同士が接触することが無く、傷が付かない。又、ゴルフプレイの際に番手が見やすく整理がつき、使用後も入れやすい構造である。且つ、ゴルフ販売店においては、キャディーバックにゴルフアイアンクラブ整理用具を取り付け、アイアンクラブを整列させて展示用に美的に陳列できる効果がある。
【発明を実施するための最良の形態】
【００１０】  キャディーバックの形態に相違がある為、ゴルフアイアンクラブ整理用具のフレームは柔軟な材料を使用して、キャディーバックの縁にフレームの支柱が差し込み易く考慮され、フレームの中央下部にサポート具を取り付ける腕板を設け、サポート具を差し込み、締結用のネジ穴があり、穴に締結用のネジを挿入して、ナットが埋め込まれたツマミで締め付け締結する。キャディーバックの大きさの違いを吸収するために、サポート具の面に間隔を有しネジ穴を複数個設け、締結のネジを穴に差し替えることでキャディーバックの大きさに変えることが出来る。以下に図面を参照して説明する。図１はキャディーバックの一例の斜視図、図２はゴルフアイアンクラブ整理用具の斜視図、図３はゴルフアイアンクラブ整理用具をキャディーバックに取り付け、アイアンクラブを入れた斜視図である。
【実施例１】
【００１１】  図１は一般的なキャディーバック５の参考図である。
図２は請求項１の実施形態に係わるゴルフアイアンクラブ整理用具１の斜視図である。フレーム２の上部に各アイアンクラブの角度に沿った隔壁３を設け、隣のアイアンクラブに触れないように図り、フレーム２の両端から支柱４ａ、４ｂが具備され、その先端部にキャディーバック５の縁に差し込む為の切り込み６が用意されている。且つ、フレーム２の中央部にサポート具７を取り付ける腕板８を設け、締結用の穴９を開けてある。サポート具７はフレーム２の腕板８の溝に差し込みサポート具７の面に複数の調節穴１０が有り、締結用の穴９とサポート具７にある複数の穴１０の何れかと合わせ締結ネジ１１を穴に差し込み、ナットが埋め込まれたツマミ１２で固定する。キャディーバック５の大きさの違いをサポート具７の複数の穴１０を選択して合わせることが出来る。【００１２】  図３はキャディーバック５にゴルフアイアンクラブ整理用具１の取り付けが出来たらアイアンクラブのヘッドをそれぞれの角度にあった溝に入れた斜視図である。
【産業上の利用可能性】
【００１３】  ゴルフを趣味にしている人が高価なゴルフ道具を購入して、ゴルフクラブを傷付かないようにヘッドカバーを被せて移動運搬、ゴルフプレイをしている人が多く見られる。プレイする場合にゴルフクラブの番手が分からない。一部番手が記入されたヘッドカバーがあるが、アイアンクラブには稀である。また、プレイ中にいちいちヘッドカバーを外す煩わしさがある。本発明はヘッドカバーを必要とせずにそれぞれのアイアン角度に沿った溝に差し込むことで、隣接する隔壁を有している為に移動運搬、ゴルフプレイ中の揺れにも接触せずに済み、ゴルフプレイの際にもアイアンクラブの番手が一目でわかる利点があり、そのまま、キャディーバックのカバーが被せることが出来る。
【図面の簡単な説明】
【００１４】
【図１】キャディーバックの一例の斜視図
【図２】ゴルフアイアンクラブ整理用具の斜視図
【図３】ゴルフアイアンクラブ整理用具をキャディーバックに取り付け、アイアンクラブを入れた斜視図
【符号の説明】
【００１５】  １    ゴルフアイアンクラブ整理用具
２    フレーム
３    隔壁
４ａ  支柱
４ｂ  支柱
５    キャディーバック
６    切り込み
７    サポート具
８    腕板
９    締結用の穴
１０  調節穴
１１  締結ネジ
１２  ツマミ
【図１】
2007111460.tif 000003
【図２】
2007111460.tif 000004
【図３】
2007111460.tif 000005